【手続補正書】
【提出日】平成18年2月3日(2006.2.3)
【手続補正１】
【補正対象書類名】明細書
【補正対象項目名】全文
【補正方法】変更
【補正の内容】
【発明の詳細な説明】
【発明の名称】インターネット通信用情報処理装置
【技術分野】
【０００１】本発明が該当する分野はコンピューター、携帯電話、及び制御装置と通信装置を備えた電気製品のようにインターネットを用いた情報交換が可能な情報処理装置であり、外部とのやりとりの手段は無線及び有線の両方を含む。
【背景技術】
【０００２】図１に従来のシステムを示す。ＣＰＵと記憶装置で情報処理を行っており、制御はすべてＣＰＵで行っていた。そこで、ＣＰＵ内部にウイルスが侵入すると大変困難な問題が生じていた。
【発明が解決しようとしている課題】
【０００３】コンピューターや携帯電話の使用者が知らない間に勝手に情報を盗まれたり、設定を変更されたり、作動させるプログラムに浸入し、表面に見えているのとは全く別の作業をして、使用者に損害が発生することがあった。また、誤ってそのまま送信することで、ウイルスを他の人に送付する危険もあった。
【発明の目的】
【０００４】ウイルスが浸入しても、自己復元が容易に行えるとともに、自らが、ウイルスの発信者にならないこと。また、使用者が認知しないで勝手に情報を持ち出されないようにして、安心してインターネットが活用できるようになることを目的とする。
【課題を解決するための手段】
【０００５】図２は本発明の情報処理装置の構成を概略で示したものである。従来の情報処理装置を情報処理装置本体とバックアップ装置とに分け、これを２種類の内部ゲートｂ１１及びｂ１２でつなぐ。さらに情報処理装置本体と入力装置や出力装置を２種類の外部ゲートｂ２及びｂ３でつなぐ。このようにしてこれらのゲートのうち、常時接続されているのは入力ゲートｂ３だけとし、他のゲートはウイルスが認められず安全であることが確認されたら、オペレーター自身が機械的スイッチである送信スイッチｂ１、保存スイッチｂ９、復元スイッチｂ１０の操作をすることによりゲートが開かれる（ＯＮとなる）。このようにすることで、ウイルスが浸入し、知らない間にデータが持ち去られたり、プログラムに浸入して回復が困難になることを避けることができる。
【０００６】図２に従って以下に本発明について詳述する。従来の情報処理装置のほかに外部ゲート、内部ゲート、バックアップ装置の三つを新たに加え四つに区分する。内部ゲート、外部ゲートには機械的なスイッチを含む回路が形成されており、さらに電源スイッチも機械的スイッチとなっており、これらの機械的スイッチは作業用ＣＰＵによって制御できないようになっており、単にプログラムでは動作できないようになっている。また、常時ウイルスが存在しないか監視をするために専用のプログラムを持ったＲＯＭｂ８を抱えたウイルス監視用プロセッサーｂ７が情報処理装置本体に組み込まれている。これは作業用ＣＰＵから完全に独立して動作する。監視のために主記憶装置ｂ６から常時サンプリングするように回路が形成されている。さらに、バックアップ装置には作業開始前の状況を全て保管しておく副記憶装置ｂ１３と復元専用のプロセッサーｂ１４が組み込まれている。また装置全体の電源は機械的スイッチのみで操作されるようになっており、作業用ＣＰＵから完全に独立している。さらにすべての内部および外部ゲートは電源が切れた場合にはウイルスが検出されたと同様の状態で停止するように設定されている。
【０００８】次に実際の安全性を使用状況別に確認してゆく。インターネットを使用して情報処理の作業後に、外部に送信したいとき、従来は出力回路が常に接続されているので、ウイルスが浸入して気づかないうちにデータを勝手に持ち出されたり、送信される準備がされていた。本発明では、常時監視しているので、ウイルスが浸入していれば警報が発せられて気付き、復元のスイッチを押すことになるが、問題が無かった場合には、オペレーターが自ら送信スイッチｂ１を操作して送信を確認する。これによって誤ってウイルスを他の人に送ったり、自分のデータが流出する危険をなくすことができる。図２に示すように送信のための出力ゲートｂ２は機械的スイッチの入力だけでなく、ウィルス検出用プロセッサーｂ７からの安全であることの信号が入力されないとＯＮしないようになっている。尚、送信スイッチｂ１を操作すると当然に、作業用ＣＰＵの制御装置に送信指令の信号を出力する。
【０００９】作業が一段落したら現状を保存する。この場合にはそれまで閉じていたバックアップ装置との間の内部ゲート１ｂ１１を開けるが、これも送信と同様に単に保存スイッチｂ９からの信号だけでなく、ウイルス検出用プロセッサーからの安全であることの信号が入力されないと内部ゲートｂ１１はｏｎにすることができない。尚、保存スイッチｂ９が動作すれば、外部入力ゲートｂ１をｏｆｆとしたのち作業用ＣＰＵの制御装置に保存指令の信号が出力される。
【００１０】作業中にウイルスが検出された場合。この場合にはウイルス検出用のプロセッサーに接続されたブザーや発行ダイオードによりオペレーターはウイルスの浸入を確認できる。オペレーターは直ちに作業を中断し、復元スイッチｂ１０を操作する。それによって外部からの入力ゲートが閉じられるとともに、内部ゲート２ｂ１２が開く（ＯＮになる）。尚、復元スイッチｂ１０が動作すれば作業用ＣＰＵの制御装置にプログラムの復元指令の信号も同時に出力される。
【００１１】尚、このブザーや発行ダイオードについては別の場所にいても確認できるようにするため専用の発信機を取り付けることも可能である。このようにすることで、パソコンをインターネットにつないだまま、いつでも受信できるようにしておいて外出した場合でも、トラブルが生じた場合には、携帯電話または固定電話で機械的なスイッチを動作できる。パソコンの作業用ＣＰＵに制御されていなければ必ずしも機械的ナスイッチでなくてもよいので、電話で制御できるものがパソコンに組み込まれておればよいことになる。
【００１２】さらに、本発明で新たに追加した外部ゲート、内部ゲート、バックアップ装置は必ずしも、別々のモールドとして分離されている必要はなく、電気的に等価な回路となって独立できていれば一体として成型することも可能である。このようにすることで、携帯電話のように持ち運べる機器に本発明を導入しやすくなるメリットがある。
【発明の効果】
【００１３】本発明のシステムをインターネット通信用情報処理装置に利用することで、ウイルスが浸入しても、自分のデータが勝手に持ち出されたり、内部のプログラムを破壊されたりしないので、安全に使用できる。このため、ウイルスを作っても意味が無くなるので、今後開発されるソフトにウイルス対策の部分が不要となり、安価となるとともに、ウイルス対策を必要としないプログラムとすることで、処理速度を早くできる。また電源が停止したりしても安全が確保される。さらに、ファイル交換ソフトなどによる情報持ち出しがないので、ネットを用いた著作権の伴うコンテンツの配信に有利である。
【図面の簡単な説明】
【００１４】
【図１】従来のインターネット通信情報処理装置の一般的構成図を示す。
【図２】本発明によるインターネット通信情報処理装置概略構成図を示す。
【符号の説明】
【００１５】ａ１  従来の一般的作業用ＣＰＵの演算装置  ａ２  従来の一般的作業用ＣＰＵの制御装置  ａ３  従来の一般的作業用ＣＰＵの記憶装置  ｂ１  本発明の機械的スイッチである送信スイッチ  ｂ２  本発明の外部出力ゲート  ｂ３  本発明の外部入力ゲート  ｂ４  情報処理装置本体の作業用ＣＰＵにある演算装置  ｂ５  情報処理装置本体の作業用ＣＰＵにある制御装置  ｂ６  情報処理装置本体の主記憶装置  ｂ７  専用に組み込まれたウイルス検出用プロセッサー  ｂ８  ウイルス検出用プロセッサーのためのプログラムを提供するＲＯＭ  ｂ９  本発明の機械的スイッチである保存スイッチ  ｂ１０  本発明の機械的である復元スイッチ  ｂ１１  本発明の内部ゲート１  ｂ１２  本発明の内部ゲート２  ｂ１３  情報処理装置本体から独立した副記憶装置  ｂ１４  情報処理装置本体から独立した復元専用プロセッサー  ｂ１５  本発明の機械的スイッチである電源スイッチ  ｂ１６  電源装置  ｂ１７  警報装置
【手続補正２】
【補正対象書類名】図面
【補正対象項目名】全図
【補正方法】変更
【補正の内容】
【図１】
2006127542.tif 000001
【図２】
2006127542.tif 000002